(57)【要約】      （修正有）【課題】アパレル業界に必要な顧客情報の収集を可能とするＩＴ情報収集システムを提供する。【解決手段】アパレル業界の試着室などに撮影技術及び印刷技術を導入する事により一般消費者は服を客観的に判断する事が可能になると同時に、新しい服を着た自分を記念に残すという新たな楽しみができる為、アパレル業界の店鋪は従来にはないシステムで集客力を高める事が出来る。その事により以前より多く集まった一般消費者に対し印刷技術を使用するにあたり割り引きなどのサービスを受けるかわりに一般企業や開発メーカーなどの質問に答えて頂くことにより一般消費者と一般企業や開発メーカーの距離が縮まり無駄な開発を回避する事ができる。また情報管理部門を作りＩＴ技術を利用する事により一般消費者の携帯もしくはパソコンに質問メールを一斉送信し返信を受ける事により従来に比べ小さい労働力で多くの情報を収集する事が可能になる。【選択図】図１
2011090656.tif 000002
【特許請求の範囲】
【請求項１】
アパレル業界の試着室などに撮影技術及び印刷技術を導入するシステム
【請求項２】
請求項１のシステム導入により集客力を高める事が可能になり、その事により多く集まった一般消費者にインターネットテクノロジーを使い小さい労働力で情報収集する事ができるＩＴ情報収集システム
【請求項３】
請求項１、請求項２の完成に向けアパレル業界や撮影メーカーとのシステム開発協議、一般消費者から得た情報の管理、ホームページ作成などの全ての業務を執り行うプロジェクト構築法人
【発明の詳細な説明】
【技術分野】
【０００１】  本発明は、アパレル業界に撮影技術及び印刷技術を導入する事、かつ一般消費者からＩＴ技術を用いて情報を収集する事に関する物である。
【背景技術】
【０００２】  従来のアパレル業界は、お客様を集める為には、通常営業において（開店セールや閉店セールなど以外）広告を出すか、販売価格を下げる方法以外は、確立した物はなかった。又、お客様からの情報収集システムもなかった。
【発明の開示】
【発明が解決しようとする課題】
【０００３】  従来のアパレル業界は、服を購入するかしないか、どの服を購入するか客観的に判断する方法が存在しなかった。又、集客力を高める為に有効な新システムは、近年開発されて来なかった。又、来店されたお客様に対して有効な情報収集する手段がなかった。本考案は、前述の欠点を解決しようとするものである。
【課題を解決するための手段】
【０００４】  本考案は、アパレル業界の試着室などに撮影技術及び、印刷技術を導入する。その技術により来店されたお客様に新たな付加価値を提供する事が可能になり、集客力を高める事が出来る。集まったお客様に対し一般企業が欲している情報をインターネット経由で送信し、その質問に答える事で撮影技術及び印刷技術の割り引きなどのサービスを受ける事を可能にする事で、小さな労働力で多くの情報を収集する事が可能になる。
【発明の効果】
【０００５】  アパレル業界の試着室などに撮影技術及び印刷技術を導入する事で、お客様に対し試着した自分を記念に残すという新たな付加価値を提供する事が可能になる。その事によりアパレルの店鋪は、従来にないシステムにより集客力を高める事が可能になる。又、従来の試着室はお客様が試着をする事だけの存在でしかなかったためスペース自体は広く必要であるにもかかわらず、特に平日などはあまり使用されずいわゆるデッドスペースになっていたが、本考案を導入する事により新たな付加価値を求めて来店されるお客様が増え試着室の使用頻度が格段に向上する。又、集客力を高める事により、より多く集まるお客様に対しパソコンもしくは携帯のアドレスを記入して頂き、そちらに一般企業の欲しているお客様の需要を捕らえる為の質問メールを送信する。返信する事で撮影技術及び印刷技術の割り引きサービスなどを受けられる様にする。お客様にとって質問に答える事で実利がある事から、またインターネット経由でその作業をする事で、従来のリサーチと比べるとより正確でより多くの意見を簡単かつ少ない労働力で収集する事が可能になる。
【発明を実施するための最良の形態】
【０００６】  以下、本発明の実施の形態を図１に基づいて説明する。【０００７】  図１は、アパレル業界に撮影技術及び、印刷技術導入により集客力を高めると同時に、一般消費者からＩＴを利用し商品開発に必要な情報を得る事でより商品開発メーカーと一般消費者の距離を縮める事が可能になるビジネスモデルであるが、まずアパレル業界にある試着室などに撮影技術及び印刷技術を導入する事により、一般消費者にとって従来は試着した洋服が何着かある場合最初に試着した物と最後に試着した物を判断する場合、曖昧な記憶に頼る方法しかなかったが、撮影した物が印刷物として残る事により最初に試着した物と最後に試着した物とをどちらが似合っているかなどを客観的に判断する事が可能になる。また、試着した物を記念に残すという行為自体が新たな楽しみになる為、撮影技術及び印刷技術を導入したアパレルの店鋪は、従来よりも多くのお客様が来店する事になり、集客力を高める事になる。集まったお客様に対し印刷物を残すシステムを利用するにあたり、一般企業や開発メーカーなどの質問を携帯もしくはパソコンに送信させてもらい、返信した人に割り引きなどのサービスを受ける事ができる会員になって頂く事で、従来のリサーチと比べると格段に多くの情報を少ない労働力で得る事が可能になる。図１−１はアパレル業界であるが、図１−２の撮影メーカーから撮影技術及び印刷技術を導入する事により集客力を高める事が可能になる。図１−３は一般消費者であるが、図１−１に新たなシステムが導入された事により、洋服の判断方法がより明確になると共に新しい服を着た自分が記念に残る事から新たな楽しみとなり、以前より店鋪に足を運ぶ機会が増加する。図１−４は一般企業であるが、より多くの情報を安価で集めたいと考えている企業に対し、図１−１に本案件により以前より多く集まる図１−３に対し印刷物に残すシステムを使用するにあたり図１−４からの質問に答える事で、割り引きなどのサービスを受けられる会員になって頂き、ＩＴを利用しパソコンもしくは携帯にメール送信し返信して頂く事により従来と比べより多くの情報を小さい労働力で収集する事が可能になる事から図１−４により多くの情報を安価で提供する事が可能になる。図１−５は、情報を管理する部門であるが、図１−４が欲している情報を図１−５から図１−３に一斉に送信し図１−３からの返信を図１−５が管理し図１−４に提供する。図１−６はプロジェクト構築法人であるが、撮影メーカーやアパレル業界との協議、一般企業との交渉や情報管理部門の管理など全て本案件の開始、継続に関わる業務を執り行う法人である。【０００８】  以上のように、本実施形態によれば、アパレル業界は新たな楽しみを一般消費者に提供する事ができると同時に集客力を高める事が可能になる。一般消費者は、服を客観的に判断する事が可能になる又、その場で決断するのではなく後日知人に印刷物を見せ判断してもらう事もできる。又、一般消費者の需要などの情報を集客力を高めるシステムとＩＴを利用する事で、小さい労働力で一般企業や開発メーカーに提供する事も可能になる。
【実施例】
【０００９】  アパレル業界の試着室などに印刷技術及び撮影技術を導入する事で、一般消費者に対し新たな洋服の判断方法を提供出来ると共に新たな楽しみをも提供出来る事から、アパレル業界にとって新たな集客システムになる。また、集客力を高めた事により従来よりも多く集まった一般消費者に撮影、印刷技術を使用するにあたり割り引きなどのサービスなどを受けられる会員になってもらい一般企業や開発メーカーなどが欲している情報に答えて頂く事により、又それをＩＴ技術を利用する事により従来よりも簡単かつ小さい労働力で情報収集が可能になる。
【図面の簡単な説明】
【００１０】
【図１】  アパレル業界に撮影技術及び、印刷技術導入により集客力を高めると同時に、一般消費者からＩＴを利用し商品開発に必要な情報を得る事でより一般企業や商品開発メーカーと一般消費者の距離を縮める事が可能になるビジネスモデルの全容
【符号の説明】
【００１１】１    アパレル業界
２    撮影メーカー
３    一般消費者
４    一般企業
５    情報管理部門
６    プロジェクト構築法人
【図１】
2011090656.tif 000003